(57)【要約】【課題】  遮断率が３０ｄＢ以上のグレーティング部を有する光ファイバを使用した場合でも遮断率が劣化しない高遮断の光フィルタ、光コネクタおよび光アダプタを提供する。【解決手段】  コア１の屈折率が長手方向で周期的に変化して不要波長領域の光を３０ｄＢ以上遮断するグレーティング部２が先端部に形成されてなる光ファイバと、前記不要波長領域の光を透過し、貫通した微細孔に前記光ファイバが内装固定されたフェルール４とを有する。【選択図】  図１
2006091326.tif 000002
【特許請求の範囲】
【請求項１】
コアの屈折率が長手方向で周期的に変化して不要波長領域の光を３０ｄＢ以上遮断するグレーティング部が先端部に形成されてなる光ファイバと、
前記不要波長領域の光を透過し、貫通した微細孔に前記光ファイバが内装固定されたフェルールとからなる光フィルタ。
【請求項２】
前記フェルールの長手方向の長さは、７ｍｍ以上であることを特徴とする請求項１に記載の光フィルタ。
【請求項３】
前記フェルールは、前記不要波長領域において前記光ファイバのクラッドよりも高い屈折率を有することを特徴とする請求項１又は２に記載の光フィルタ。
【請求項４】
請求項１乃至３に記載の光フィルタを有し、
前記フェルールを微細孔の延在方向に沿って一端部を固着し、微細孔の延在方向に沿ってフェルールを外方に突出する延在突部と、
この延在突部の一端部を固着するフェルールホールドとからなることを特徴とする光コネクタ。
【請求項５】
コアの屈折率が長手方向で周期的に変化して不要波長領域の光を３０ｄＢ以上遮断するグレーティング部が形成されてなる光ファイバと、
この光ファイバを内装固定する微細孔が貫通され前記不要波長領域の光を透過するフェルールと、
このフェルールを内装固定し、第１および第２の光コネクタまたはレセプタクルをそれぞれ接続可能にし、第１および第２の光コネクタまたはレセプタクルをそれぞれこのフェルールの両端面に相互に突き合わせ接続可能にするハウジングとを有することを特徴とする光アダプタ。
【発明の詳細な説明】
【技術分野】
【０００１】
本発明は、光通信に用いられる光フィルタ、光コネクタおよび光アダプタに関する。
【背景技術】
【０００２】
近年、高度情報通信社会の推進に向けて、ＦＴＴＨ（Ｆｉｂｅｒ ｔｏ ｔｈｅ Ｈｏｍｅ）が提唱されている。このＦＴＴＨについて、図９を参照して説明する。
【０００３】
ＦＴＴＨは、個々の家庭まで光ファイバを引き込んで、電話、コンピュータ通信、ＣＡＴＶ（ケーブル・テレビや光ネットワークの配線方法）などの通信サービスを統合して提供するネットワークであり、図９（ａ）に示すように、電話局１００内にはＯＬＴ（Ｏｐｔｉｃａｌ  Ｌｉｎｅ  Ｔｅｒｍｉｎａｌ）という光回線終端装置が配置され、そのＯＬＴから光ケーブルを各ユーザーへ敷設し、途中に設けられたクロージャ１０１から各家庭やビル等のユーザー１０２に光ドロップケーブル１０３を敷設するものである。
【０００４】
そして、光ドロップケーブル１０３は、図９（ｂ）に示すように、光ファイバ１０５と光ファイバ１０５を被覆する光コード１０６とを内蔵し、光コネクタ１０７を介してユーザー１０２のＯＮＵ（Ｏｐｔｉｃａｌ  Ｎｅｔｗｏｒｋ  Ｕｎｉｔ）と呼ばれる光ネットワーク装置１０４に接続される。
【０００５】
光ファイバ回線中には、データ通信を行うための波長１３１０ｎｍ帯、１５５０ｎｍ帯の信号光と、光ファイバの状態を監視するための波長１６５０ｎｍ帯の監視光が重畳されている。光ネットワーク装置１０４では、１６５０ｎｍ帯の監視光がそのまま入射してしまうと、データ通信に重大な影響を与えるため、光ネットワーク装置１０４に入射する直前に十分減衰させる必要がある。
【０００６】
このため、光ネットワーク装置１０４に光を入射する光コネクタ１０７は、波長１６５０ｎｍ帯の監視光を反射することで遮断し、波長１３１０ｎｍ帯、１５５０ｎｍ帯の信号光は透過するようにする光フィルタを内蔵している。
【０００７】
光フィルタは、ファイバグレーティングを有する光ファイバを光コネクタのフェルールに内蔵したもので、このようなファイバグレーティング光フィルタとしては、例えば特許文献１〜３に開示されたものがある。この場合、フェルールの長さでグレーティング長が制限され、その長さの範囲内で遮断フィルタを設計する必要がある。
【０００８】
このようなファイバグレーティング内蔵型コネクタは、まず、位相マスクを通して光ファイバに紫外光を照射してファイバグレーティングを作製し、そして、フェルールに設けた微細孔に光ファイバのファイバグレーティング部を挿入して樹脂等で固定し、その後、フェルール端面の研磨を行い、コネクタハウジングへ収納する、という手順で作製される。
【特許文献１】特開平１０−１４２４４７号公報
【特許文献２】特開平９−３０４６４５号公報
【特許文献３】特開平９−２６９４３５号公報
【発明の開示】
【発明が解決しようとする課題】
【０００９】
従来、ファイバグレーティング光フィルタの遮断率が２０〜２５ｄＢ程度のものでは、コネクタ化前後での遮断特性に違いは見られなかった。
【００１０】
しかし、ファイバグレーティング光フィルタの遮断率が３０ｄＢを越えると、コネクタ化後の遮断率が当初の遮断率よりも劣化する傾向が見られた。さらに、もとのファイバグレーティング光フィルタの遮断率が４０ｄＢを越えると、コネクタ化後の遮断率は４０ｄＢ以下になり、必要とする遮断特性が得られなかった。
【００１１】
また、アダプタと呼ばれる形状のものでも同様の現象が確認されていた。光アダプタはフェルールの両端が光コネクタに接続できるように研磨されたもので、ハウジングの中に収納されて、両端に光コネクタを接続して用いられるものである。
【００１２】
このように、もとのファイバグレーティング光フィルタの遮断率が３０ｄＢ以上の場合に、遮断率が劣化しない遮断フィルタを、ファイバグレーティング内蔵型コネクタで実現することは困難であった。
【００１３】
上記のように遮断率が低下する原因について、図９（ｃ）を参照して説明する。図９（ｃ）は光コネクタ１０７を示す概略構成図であり、セラミック製で円柱状のフェルール１１０の長手方向に貫通する微細孔に光ファイバ１０５が挿入され、光ファイバ１０５は樹脂固定されている。光ファイバ１０５の先端部のコア１０８にはグレーティング部１１１が形成されている。
【００１４】
光ファイバ１０５はフェルール１１０の微細孔に挿入されて固定されているが、フェルール１１０の入り口部分では、光ファイバ１０５の外周に塗布された樹脂が一様ではないため、光ファイバ１０５に歪みが発生する。そしてこの歪みにより、コア１０８を伝搬する導波モードからクラッド１０９を伝搬するクラッドモードへ光が結合する。
【００１５】
グレーティング部１１１の屈折率が変化している部分はコア１０８だけであるため、クラッド１０９を伝搬する光はほとんど影響を受けず、遮断されずにクラッド１０９内を通過する。
【００１６】
セラミック製フェルール１１０は不透明であり、また微細孔内も比較的きれいな面を持っているため、クラッド１０９の外周部に達した光は、反射されて光ファイバ１０５の中心部へ戻り、クラッドモードを伝搬する光のパワーはあまり減衰せずに伝搬し、光コネクタ１０７の出射端では、軸ずれ等によりクラッドモードから導波モードへの結合が生じる。
【００１７】
従って、導波モードがグレーティング部１１１で遮断されたとしても、クラッドモードを伝搬したわずかな光が出射端で導波モードに結合することにより遮断率の劣化を招く。
【００１８】
一方、光アダプタでは、入射端も光コネクタ同士の接続になり、軸ずれ等の摂動が生じるため、クラッドモードへの結合が生じる。その後は、上記光コネクタの場合と同様の現象が生じて、遮断率の低下を招いている。
【００１９】
遮断率が変化する割合は、グレーティング部１１１で遮断されずに透過してきた光の強さと、クラッドモードへ結合して再度導波モードに結合した光の強さの比で決まる。遮断率が２０〜２５ｄＢ程度の場合、グレーティング部１１１を透過する光の強さが、クラッドモードを伝搬してきた光の強さより十分に大きいため、遮断率には実質的に変化が見られない。一方遮断率が３０ｄＢよりも大きくなると、グレーティング部１１１を透過する光の強さと、クラッドモードを伝搬してきた光の強さが同程度になるため、遮断率が低下したように観測される。
【００２０】
図１０は従来の光フィルタの遮断特性を示すグラフであり、ファイバグレーティングをジルコニア製フェルールに収納した状態と収納しない状態での遮断率を示す。波長１６５０ｎｍ帯において、フェルールに収納しない状態では５０〜８０ｄＢ程度の遮断率を示すのに対して、収納した状態では４０〜５０ｄＢ程度まで遮断率が劣化している。
【００２１】
本発明は、上記に鑑みてなされたもので、その目的としては、遮断率が３０ｄＢ以上のグレーティング部を有する光ファイバを使用した場合でも遮断率が劣化しない高遮断の光フィルタ、光コネクタおよび光アダプタを提供することにある。
【課題を解決するための手段】
【００２２】
本発明の光フィルタは、コアの屈折率が長手方向で周期的に変化して不要波長領域の光を３０ｄＢ以上遮断するグレーティング部が先端部に形成されてなる光ファイバと、前記不要波長領域の光を透過し、貫通した微細孔に前記光ファイバが内装固定されたフェルールとからなることを特徴とする。
【００２３】
また、本発明の光フィルタは、前記フェルールの長手方向の長さは、７ｍｍ以上であることを特徴とする。
【００２４】
また、本発明の光フィルタは、前記フェルールは、前記不要波長領域において前記光ファイバのクラッドよりも高い屈折率を有することを特徴とする。
【００２５】
また、本発明の光コネクタは、請求項１乃至３に記載の光フィルタを有し、前記フェルールを微細孔の延在方向に沿って一端部を固着し、微細孔の延在方向に沿ってフェルールを外方に突出する延在突部と、この延在突部の一端部を固着するフェルールホールドとからなることを特徴とする。
【００２６】
また、本発明の光アダプタは、コアの屈折率が長手方向で周期的に変化して不要波長領域の光を３０ｄＢ以上遮断するグレーティング部が形成されてなる光ファイバと、この光ファイバを内装固定する微細孔が貫通され前記不要波長領域の光を透過するフェルールと、このフェルールを内装固定し、第１および第２の光コネクタまたはレセプタクルをそれぞれ接続可能にし、第１および第２の光コネクタまたはレセプタクルをそれぞれこのフェルールの両端面に相互に突き合わせ接続可能にするハウジングとを有することを特徴とする
【発明の効果】
【００２７】
本発明の光フィルタによれば、光ファイバのクラッドよりも高い屈折率を有する透明なガラス製からなる長手方向の長さが７ｍｍ以上のフェルールの微細孔に、３０ｄＢ以上遮断するグレーティング部が先端部に形成されてなる光ファイバの先端部を内装固定したので、クラッドモードに結合した光の強度が出射結合部に達するまでに十分に減衰し、導波モードへの光の結合が実質的に無視できるほど小さくすることができ、遮断率が３０ｄＢ以上のグレーティング部を有する光ファイバを使用した場合でも遮断率の劣化を防止することができる。
【００２８】
また、本発明の光コネクタによれば、光ファイバのクラッドよりも高い屈折率を有する透明なガラス製からなる長手方向の長さが７ｍｍ以上のフェルールの微細孔に、３０ｄＢ以上遮断するグレーティング部が先端部に形成されてなる光ファイバの先端部を内装固定した光フィルタを使用したので、クラッドモードに結合した光の強度が出射結合部に達するまでに十分に減衰し、導波モードへの光の結合が実質的に無視できるほど小さくすることができ、遮断率が３０ｄＢ以上のグレーティング部を有する光ファイバを使用した場合でも遮断率の劣化を防止することができる。
【００２９】
また、本発明の光アダプタによれば、光ファイバのクラッドよりも高い屈折率を有する透明なガラス製からなる長手方向の長さが７ｍｍ以上のフェルールの微細孔に、３０ｄＢ以上遮断するグレーティング部が先端部に形成されてなる光ファイバの先端部を内装固定した光フィルタを使用したので、クラッドモードに結合した光の強度が出射結合部に達するまでに十分に減衰し、導波モードへの光の結合が実質的に無視できるほど小さくすることができ、遮断率が３０ｄＢ以上のグレーティング部を有する光ファイバを使用した場合でも遮断率の劣化を防止することができる。
【発明を実施するための最良の形態】
【００３０】
以下、本発明の実施の形態を図面を参照して説明する。
【００３１】
（実施例１）
本発明の光フィルタの実施例１を図１乃至図３に基づいて説明する。
【００３２】
図１は本発明の光フィルタを示す概略構成図であり、コア１の屈折率が長手方向で周期的に変化して１６５０ｎｍ帯の光を３０ｄＢ以上遮断するグレーティング部２が先端部に形成されてなる光ファイバと、この光ファイバの先端部を内装固定する微細孔が貫通され透明なガラス製からなるフェルール４とを具備する。フェルール４の先端面４ａには研磨を施す。
【００３３】
フェルール４の外径は２．５ｍｍとし、長手方向の長さｄは７ｍｍ以上２５ｍｍ以下とする。７ｍｍ以上としたのは、所望の特性を実現するために必要なグレーティング長を確保するためであり、２５ｍｍ以下としたのは生産性の向上と光フィルタの小型化を図るためである。
【００３４】
また、フェルール４の屈折率は、光ファイバのクラッド３に使用されている石英ガラスの屈折率より大きいものとする。
【００３５】
次に、本実施例の光フィルタの作用を説明する。コア１内を通過する導波モードの１６５０ｎｍ帯の光はグレーティング部２で遮断される。一方、コア１から漏れ、光ファイバのクラッド３を伝搬していたクラッドモードの光は、さらにクラッド３からしみ出してフェルール４内まで広がり散乱する。これは、フェルール４の屈折率がクラッド３の屈折率より大きいためである。そして、クラッド３の外径が０．１２５ｍｍであるのに対してフェルール４の外径は２．５ｍｍであり、断面積が４００倍あるため、散乱した光が出射端の先端面４ａ付近でクラッドモードから導波モードへ結合する光の割合は実質的に無視できる程小さくなり、遮断率の劣化を防ぐことができる。
【００３６】
ここで、図２を参照して、屈折率ｎ１の物質と屈折率ｎ２の物質の境界面に屈折率ｎ１の物質側から光が入射した場合の光の反射について説明する。図２（ａ）はｎ１＞ｎ２の場合を示す。この場合、入射角θが、臨界角θC=sin-1(ｎ２/ｎ１)と呼ばれる角度よりも小さい場合、光が境界面で全反射し、光は屈折率ｎ１の媒質側に閉じこめられる。図２（ｂ）はｎ１＜ｎ２の場合を示し、この場合は臨界角と呼ばれる角度は存在せずに、光が全反射することはなく、境界面で光の一部が反射され、屈折率ｎ１の媒質側に戻り、一部は屈折率ｎ２の媒質側に光が伝搬する。
【００３７】
本実施例の光フィルタでは、フェルール４の屈折率がクラッド３の屈折率より大きいため図２（ｂ）の場合に該当し、クラッドモードへ結合した光は、フェルール４とクラッド３の境界面で全反射を起こして、光ファイバのクラッド３側に閉じこめられることはない。
【００３８】
ただし、フェルール４の屈折率がクラッド３の屈折率より小さい場合でも、本実施例の効果が全く得られなくなるわけではない。全反射の状態になる光は、クラッドモードを伝搬する光の一部であり、一部の光は本実施例のようにフェルール４へと伝搬するためある程度の減衰効果が得られる。
【００３９】
なお、フェルール４の材質として光を吸収する材料を使用してもクラッドモードから導波モードへの結合を防止することができると考えられるが、フェルール４に内装する光ファイバの外径が０．１２５ｍｍに対してフェルール４の微細孔の内径寸法は０．１２６ｍｍと高い精度が要求されるため、光を吸収する材料の選択は困難であるが、ガラスであれば高精度の加工が可能である。
【００４０】
図３は、本実施例の光フィルタの遮断特性を示すグラフであり、グレーティング部２を透明なガラス製フェルール４に収納した状態と収納しない状態での遮断率を示す。波長１６５０ｎｍ帯において、フェルール４に収納しない状態でも収納した状態でも５０〜８０ｄＢ程度の遮断率を示し、遮断率は劣化していない。
【００４１】
このように本実施例の光フィルタによれば、光ファイバのクラッド３よりも高い屈折率を有する透明なガラス製からなる長手方向の長さが７ｍｍ以上２５ｍｍ以下のフェルール４の微細孔に、グレーティング部２が先端部に形成されてなる光ファイバの先端部を内装固定したので、クラッドモードから導波モードへ結合する光の大きさを減少させ、遮断率の劣化を防止することができる。
【００４２】
（実施例２）
本発明の光コネクタの実施例２を図４及び図５に基づいて説明する。
【００４３】
図４は本発明の光コネクタ９を示す概略構成図であり、実施例１の光フィルタと、この光フィルタのフェルール４を微細孔の延在方向に沿って一端部を固着し、微細孔の延在方向に沿ってフェルール４を外方に突出する延在突部８と、この延在突部８の一端部を固着するフェルールホールド７とを具備する。そして、フェルール４の微細孔に内装される光ファイバ５は樹脂６で固定される。
【００４４】
次に、本実施例の光コネクタの作用を説明する。コア１内を通過する導波モードの１６５０ｎｍ帯の光はグレーティング部２で遮断される。一方、樹脂６により発生した歪みによりコア１から漏れ、光ファイバ５のクラッド３を伝搬していたクラッドモードの光は、実施例１と同様に、さらにクラッド３からしみ出してフェルール４内まで広がり散乱する。従って、クラッドモードの出射端の先端面４ａ付近での強度は十分に小さくなるため、クラッドモードから導波モードへ結合する光は実質的に無視できるほど小さくなり、遮断率の劣化を防ぐことができる。
【００４５】
図５は本実施例の光コネクタの最終形態の構成を示す概略図であり、光ファイバが内装固定されるフェルール４と、フェルール４を保持する延在突部８とを有する光コネクタ９と、延在突部８に加締め固定されるかしめリング１１と、光コネクタ９を収納するハウジング１０と、ゴムブーツ１４内に挿入されたストップリング１３と延在突部８の外周部に環状に突設されたフェルールホールド７との間に介挿されフェルール４を前方へ付勢するスプリング１２と、カバー１５とで構成される。
【００４６】
本実施例の光コネクタによれば、光ファイバのクラッド３よりも高い屈折率を有する透明なガラス製からなる長手方向の長さが７ｍｍ以上２５ｍｍ以下のフェルール４の微細孔に、グレーティング部２が先端部に形成されてなる光ファイバの先端部を内装固定したので、クラッドモードから導波モードへの光の結合を防ぎ、遮断率の劣化を防止することができる。
【００４７】
（実施例３）
本発明の光アダプタの実施例３を図６及び図７に基づいて説明する。
【００４８】
図６は本発明の光アダプタの実施例３に使用する光フィルタを示す概略構成図であり、コア１の屈折率が長手方向で周期的に変化して１６５０ｎｍ帯の光を３０ｄＢ以上遮断するグレーティング部２が形成されてなる光ファイバと、この光ファイバを内装固定する微細孔が貫通され透明なガラス製からなるフェルール１６とを具備する。フェルール１６の両端面１６ａ，１６ｂには研磨を施す。フェルール１６に内装固定される光ファイバは、フェルール１６の長さｄと同じ長さである。
【００４９】
図７は本発明の光アダプタの実施例３を示す概略構成図であり、図６の光フィルタと、この光フィルタを内装固定し、光コネクタ１８を接続可能にする挿入孔１７ａとレセプタクルに接続可能にする接続部１７ｂとを有するハウジング１７とを具備する。
【００５０】
次に、本実施例の光アダプタの作用を説明する。光コネクタ１８のハウジング１８ｂを光アダプタのハウジング１７の挿入孔１７ａに挿入し、光コネクタ１８のフェルールの先端面１８ａと、光アダプタのフェルール１６の端面１６ｂとを突き合わせ接続すると、軸ずれ等の摂動が生じるため、コア１内を通過する導波モードの光のクラッドモードへの結合が生じる。
【００５１】
しかし、実施例１，２と同様に、クラッド３を伝搬していたクラッドモードの光は、さらにクラッド３からしみ出してフェルール１６内まで広がり散乱する。従って、クラッドモードの光が出射端の端面１６ａ付近でクラッドモードから導波モードへ結合することはなく、遮断率の劣化を防ぐことができる。
【００５２】
本実施例の光アダプタによれば、光ファイバのクラッド３よりも高い屈折率を有する透明なガラス製からなる長手方向の長さが７ｍｍ以上２５ｍｍ以下のフェルール１６の微細孔に、グレーティング部２が形成されてなる光ファイバを内装固定したので、クラッドモードから導波モードへの光の結合を防ぎ、遮断率の劣化を防止することができる。また、本実施例の光アダプタはいわゆるオスメス接続を可能とするものである。
【００５３】
（実施例４）
本発明の光アダプタの実施例４を図８に基づいて説明する。
【００５４】
図８は本発明の光アダプタの実施例４を示す概略構成図であり、図６の光フィルタと、この光フィルタを内装固定し、第１および第２の光コネクタ２０，２１をそれぞれ接続可能にする第１および第２の挿入孔１９ａ，１９ｂを有するハウジング１９とを具備する。
【００５５】
次に、本実施例の光アダプタの作用を説明する。第１および第２の光コネクタ２０，２１のハウジング２１ａ，２１ｂを光アダプタのハウジング１９の第１および第２の挿入孔１９ａ，１９ｂに挿入し、第１および第２の光コネクタ２０，２１のフェルールの１６の先端面２０ａ，２１ａと、光アダプタのフェルール１６の両端面１６ａ，１６ｂとを突き合わせ接続すると、軸ずれ等の摂動が生じるため、コア１内を通過する導波モードの光のクラッドモードへの結合が生じる。
【００５６】
しかし、実施例１〜３と同様に、クラッド３を伝搬していたクラッドモードの光は、さらにクラッド３からしみ出してフェルール１６内まで広がり散乱する。従って、クラッドモードの光が出射端の端面１６ａ（または１６ｂ）付近でクラッドモードから導波モードへ結合することはなく、遮断率の劣化を防ぐことができる。
【００５７】
本実施例の光アダプタによれば、光ファイバのクラッド３よりも高い屈折率を有する透明なガラス製からなる長手方向の長さが７ｍｍ以上２５ｍｍ以下のフェルール１６の微細孔に、グレーティング部２が形成されてなる光ファイバを内装固定したので、クラッドモードから導波モードへの光の結合を防ぎ、遮断率の劣化を防止することができる。また、本実施例の光アダプタはいわゆるメスメス接続を可能とするものである。
【図面の簡単な説明】
【００５８】
【図１】本発明の実施例１の光フィルタを示す概略構成図である。
【図２】屈折率と光の反射の関係について説明する図である。
【図３】図１の光フィルタの遮断特性を示すグラフである。
【図４】本発明の光コネクタを示す概略構成図である。
【図５】本発明の光コネクタの最終形態の構成を示す概略図である。
【図６】本発明の光アダプタの実施例３に使用する光フィルタを示す概略構成図である。
【図７】本発明の光アダプタの実施例３を示す概略構成図である。
【図８】本発明の光アダプタの実施例４を示す概略構成図である。
【図９】ＦＴＴＨと従来の光コネクタを説明する図である。
【図１０】従来の光フィルタの遮断特性を示すグラフである。
【符号の説明】
【００５９】
１    コア
２    グレーティング部
３    クラッド
４，１６    フェルール
４ａ    先端面
５    光ファイバ
６    樹脂
７    フェルールホールド
８    延在突部
９    光コネクタ
１０，１７，１９    ハウジング
１１    かしめリング
１２    スプリング
１３    ストップリング
１４    ゴムブーツ
１５    カバー
１６ａ，１６ｂ    端面
１７ａ，１９ａ，１９ｂ    挿入孔
１７ｂ    接続部
１８，２０，２１    光コネクタ
１８ａ，２０ａ，２１ａ    先端面
１８ｂ，２０ｂ，２１ｂ    ハウジング
１００    電話局
１０１    クロージャ
１０２    ユーザー
１０３    光ドロップケーブル
１０４    光ネットワーク装置
１０５    光ファイバ
１０６    光コード
１０７    光コネクタ
１０８    コア
１０９    クラッド
１１０    フェルール
１１１    グレーティング部
【図１】
2006091326.tif 000003
【図２】
2006091326.tif 000004
【図３】
2006091326.tif 000005
【図４】
2006091326.tif 000006
【図５】
2006091326.tif 000007
【図６】
2006091326.tif 000008
【図７】
2006091326.tif 000009
【図８】
2006091326.tif 000010
【図９】
2006091326.tif 000011
【図１０】
2006091326.tif 000012